(57)【要約】      （修正有）【課題】カードスワイプのインジケーターライト機能を持つスマートネイルチップを提供する。【解決手段】ネイルチップ本体と、ネイルチップ本体上に設けられた電磁誘導コイル２と、ＩＣチップ３と、スマートネイルチップがＮＦＣ対応機器の信号を受信したことを表示するＬＥＤインジケーターランプ１と、を含む。ＩＣチップは、電磁誘導コイルに接続され、電磁誘導コイルがマッチング回路、整流昇圧回路、フィルタ処理回路及びＬＥＤ点灯制御回路に順次接続され、ＬＥＤ点灯制御回路がＬＥＤインジケーターランプに接続され、これを介して、カードをスワイプしている時、スマートネイルチップ付きのＬＥＤインジケーターランプを通じてカード読み取りの成功を知らせることができ、よりヒューマナイズし、人々の生活に便利さをもたらし、画期的にネイルチップにカードスワイプ信号表示機能を持たせるだけではなく、かつＩＣチップの３ｉｎ１での便利さを兼ね備える。【選択図】図１
0003215650.tif 000002
【実用新案登録請求の範囲】
【請求項１】
カードスワイプのインジケーターライト機能を持つスマートネイルチップであって、
ネイルチップ本体と、
前記ネイルチップ本体上に設けられた電磁誘導コイルと、
ＩＣチップと、
前記スマートネイルチップがＮＦＣ対応機器の信号を受信したことを表示するＬＥＤインジケーターランプと、
を含むことを特徴とする、カードスワイプのインジケーターライト機能を持つスマートネイルチップ。
【請求項２】
前記ＩＣチップは、前記電磁誘導コイルに接続され、
前記電磁誘導コイルは、マッチング回路、整流昇圧回路、フィルタ処理回路及びＬＥＤ点灯制御回路に順次接続され、
前記ＬＥＤ点灯制御回路は、前記ＬＥＤインジケーターランプに接続される
ことを特徴とする、請求項１に記載のカードスワイプのインジケーターライト機能を持つスマートネイルチップ。
【請求項３】
前記ネイルチップ本体上に可撓性回路基板が設けられ、
前記電磁誘導コイル、前記ＩＣチップ、前記マッチング回路、前記整流昇圧回路、前記フィルタ処理回路、前記ＬＥＤ点灯制御回路及び前記ＬＥＤインジケーターランプは、いずれも前記可撓性回路基板上に設けられる
ことを特徴とする、請求項２に記載のカードスワイプのインジケーターライト機能を持つスマートネイルチップ。
【請求項４】
前記ネイルチップ本体上にＬＥＤ光源拡散層を覆って設けられ、前記ＬＥＤインジケーターランプの光が、前記ＬＥＤ光源拡散層を経由して前記ネイルチップ本体表面全体までに拡散する
ことを特徴とする、請求項２又は３に記載のカードスワイプのインジケーターライト機能を持つスマートネイルチップ。
【請求項５】
前記マッチング回路は、マッチングコンデンサである
ことを特徴とする、請求項２に記載のカードスワイプのインジケーターライト機能を持つスマートネイルチップ。
【請求項６】
前記ＬＥＤインジケーターランプは、前記ネイルチップ本体表面に露出し、又は、前記ＬＥＤインジケーターランプは、前記ネイルチップ本体内部に隠れ、前記ネイルチップ本体表面に透明な覗き窓が設けられ、前記ＬＥＤインジケーターランプの光が前記透明な覗き窓を経由して射出される
ことを特徴とする、請求項１に記載のカードスワイプのインジケーターライト機能を持つスマートネイルチップ。
【考案の詳細な説明】
【技術分野】
【０００１】
本考案は、スマートネイルチップ分野技術に関し、特に、カードスワイプのインジケーターライト機能を持つスマートネイルチップに関する。
【背景技術】
【０００２】
現在、スマートカードが幅広く応用され、通常スマートカードは、スマートカード本体と、スマートカード本体に設けられた電磁誘導コイルと、ＩＣチップとを含み、大半非接触方式を通じてカードリーダーのスマートネイルチップに対するデータ識別及びデータ交換等を実現できる。
【考案の概要】
【考案が解決しようとする課題】
【０００３】
ところが、上記従来技術においては、次の問題点がある。
（１）スマートカードが実際に応用された時、寸法が大きすぎる。
（２）スマートカードに装飾機能がない。
（３）スマートカード自体にヒント機能がなく、カード所持者はカード読み取りの成功の有無を確認しにくく、カードリーダー上にオーディオインジケータ機能を追加してカード読み取りの成功を知らせるものもあるが、聴覚障害者にとってカード読み取り成功を知らせる機能がない。
【０００４】
そこで、本考案は、新しい技術的手段を研究してスマートネイルチップで上記問題点を解決するものである。
【０００５】
本考案の目的は、従来技術に存在している欠陥を解消し、カードをスワイプする時、スマートネイルチップ付きのＬＥＤインジケーターランプを通じてカード読み取りの成功を知らせ、その設計がよりヒューマナイズし、人々の生活に便利さをもたらし、特に聴覚障害者に画期的な便利さをもたらすカードスワイプのインジケーターライト機能を持つスマートネイルチップを提供することにある。
【０００６】
本考案によるスマートネイルチップの寸法は、爪の大きさだけであるため、実際に応用する際非常に便利で、装飾機能を兼ね備え、更にＬＥＤインジケーターランプがあり、３ｉｎ１で、小型化及び実用化される製品である。
【課題を解決するための手段】
【０００７】
上記目的を達成するため、本考案は、カードスワイプのインジケーターライト機能を持つスマートネイルチップであって、ネイルチップ本体と、ネイルチップ本体上に設けられた電磁誘導コイルと、ＩＣチップと、スマートネイルチップがカードリーダー信号を受信したことを表示するＬＥＤインジケーターランプと、を含むものである。
【０００８】
好ましい実施形態としては、前記ＩＣチップは、前記電磁誘導コイルに接続され、前記電磁誘導コイルがマッチング回路、整流昇圧回路、フィルタ処理回路及びＬＥＤ点灯制御回路に順次接続され、前記ＬＥＤ点灯制御回路が前記ＬＥＤインジケーターランプに接続される。
【０００９】
好ましい実施形態としては、前記ネイルチップ本体上に可撓性回路基板が設けられ、前記電磁誘導コイル、前記ＩＣチップ、前記マッチング回路、前記整流昇圧回路、前記フィルタ処理回路、前記ＬＥＤ点灯制御回路及び前記ＬＥＤインジケーターランプはいずれも前記可撓性回路基板上に設けられる。
【００１０】
好ましい実施形態としては、前記ネイルチップ本体上にＬＥＤ光源拡散層を覆って設けられ、前記ＬＥＤインジケーターランプの光が前記ＬＥＤ光源拡散層を経由して前記ネイルチップ本体表面全体までに拡散する。
【００１１】
好ましい実施形態としては、前記ＬＥＤインジケーターランプは、前記ネイルチップ本体表面に露出し、又は、前記ＬＥＤインジケーターランプは、前記ネイルチップ本体内部に隠れ、前記ネイルチップ本体表面に透明な覗き窓が設けられ、前記ＬＥＤインジケーターランプの光が前記透明な覗き窓を経由して射出される。
【考案の効果】
【００１２】
従来技術に比べると、本考案は、顕著な利点及び有利な効果を有し、具体的には上記技術的手段から分かるように、主に従来ネイルチップ上にＬＥＤインジケーターランプ及びＩＣチップを増設し、スマートネイルチップがカードリーダーの信号を受信すると、スマートネイルチップ上のＬＥＤインジケーターランプが点灯され、これを介して、カードをスワイプしている時、スマートネイルチップ付きのＬＥＤインジケーターランプを通じてカード読み取りの成功を知らせることができ、従来技術中のＩＣチップがない又は音或いは光源に依存してカード読み取りの成功を知らせるネイルチップに比べると、本考案のスマートネイルチップの設計ないし構造は、よりヒューマナイズし、人々の生活に便利さをもたらす。簡単に言うと、本考案のスマートネイルチップは、スマートカード、ネイルチップ及びＬＥＤインジケーターランプを３ｉｎ１とし、小型化及び実用化される製品である。
【００１３】
以下、本考案の構造の特徴及び効果を明確に理解してもらうため、添付図面及び具体的実施例を組み合わせて本考案を詳細に説明する。
【図面の簡単な説明】
【００１４】
【図１】本考案の好ましい実施例の回路接続構造概略図である。
【考案を実施するための形態】
【００１５】
図１を参照すると、本考案の好ましい実施例の具体的構造を示し、スマートネイルチップは、ネイルチップ本体と、ネイルチップ本体上にある可撓性回路基板４上に設けられた電磁誘導コイル２と、ＩＣチップ３と、スマートカードがカードリーダー信号を受信したことを表示するためのＬＥＤインジケーターランプ１と、を含む。
【００１６】
本実施例において、前記ＩＣチップ３が前記電磁誘導コイル２に接続され、前記電磁誘導コイル２は、マッチング回路、整流昇圧回路、フィルタ処理回路及びＬＥＤ点灯制御回路に順次接続され、前記ＬＥＤ点灯制御回路は、前記ＬＥＤインジケーターランプ１に接続し、前記マッチング回路がマッチングコンデンサであり、ここで、前記電磁誘導コイル２、前記ＩＣチップ３、前記マッチング回路、前記整流昇圧回路、前記フィルタ処理回路、前記ＬＥＤ点灯制御回路及び前記ＬＥＤインジケーターランプは、いずれも前記可撓性回路基板４上に設けられる。
【００１７】
ＬＥＤインジケーターランプが達成する視覚表示機能をより良好にするため、前記ネイルチップ本体上にＬＥＤ光源拡散層を覆って設けられ、前記ＬＥＤインジケーターランプの光が前記ＬＥＤ光源拡散層を経由して前記ネイルチップ本体表面全体までに拡散できる。
【００１８】
当然、前記ＬＥＤインジケーターランプ１は、前記ネイルチップ本体表面に露出するように設計でき、又は前記ＬＥＤインジケーターランプ１を前記ネイルチップ本体内部に隠し、前記ネイルチップ本体表面に透明な覗き窓が設けられ、前記ＬＥＤインジケーターランプ１の光は前記透明な覗き窓を経由して射出され、これらの方式はいかなる制限もされず、前記ネイルチップ本体表面に実際に設計した図面や説明文、ＬＯＧＯ等について前記ＬＥＤインジケーターランプの位置及び数量を配置することもできる。
【００１９】
次に、本実施例におけるカードスワイプのインジケーターライト機能を持つ前記スマートネイルチップの動作原理を説明すると、カードをスワイプする時、前記電磁誘導コイル２がカードリーダーのＮＦＣ発射塊から発したエネルギーを獲得し、前記マッチング回路、前記整流昇圧回路、前記フィルタ処理回路及び前記ＬＥＤ点灯制御回路の設計を通じて前記ＬＥＤインジケーターランプ１を駆動して発光させ、カード所持者には、前記ＬＥＤインジケーターランプ１から発した光を通じてカード読み取りの成功を知らせる。
【００２０】
上記を総合すると、本考案の技術的手段の設計重点は、主に現在スマートカードがスマートカード本体と、スマートカード本体に設けられた電磁誘導コイル２と、ＩＣチップ３とを含み、大半非接触方式を通じてカードリーダーのスマートネイルチップに対するデータ識別及びデータ交換等を実現できることであり、従来技術の問題点、すなわち、（１）スマートカードが実際に応用された時、寸法が大きすぎる、（２）スマートカードに装飾機能がない、（３）スマートカード自体にヒント機能がなく、カード所持者はカード読み取りの成功の有無を確認しにくく、カードリーダー上にオーディオインジケータ機能を追加してカード読み取りの成功を知らせるものもあるが、聴覚障害者にとってカード読み取り成功を知らせる機能がない、という問題点を解決できる。
【産業上の利用可能性】
【００２１】
本考案は、上記の新しい技術的手段を研究してスマートネイルチップで上記問題点を解決するものである。スマートネイルチップの寸法は、爪の大きさだけであるため、実際に応用する際非常に便利で、装飾機能を兼ね備え、更にＬＥＤインジケーターランプがあり、３ｉｎ１で、小型化及び実用化される製品であり、産業上の利用可能性を有するものである。
【００２２】
なお、上記説明では、本考案の好ましい実施例を前述の通り開示したが、これらは決して本考案の技術的範囲を限定するものではなく、本考案の技術に基づいて実質的に以上の実施例に対して行われる微修正、均等範囲における変更及び修飾等も本考案の技術的範囲内に含まれることは勿論である。
【符号の説明】
【００２３】
１    ＬＥＤインジケーターランプ
２    電磁誘導コイル
３    ＩＣチップ
４    可撓性回路基板
【図１】
0003215650.tif 000003